(57)【要約】通話用端末として電話機を用いるとともに、送話端末の電話機が回線制御網に提供する情報としては電話番号のみを用いながら、送信者、受信者双方の電話番号を秘匿できる通話接続システムを提供する。このシステムの構成は、送信者により操作される送話端末と、受信者により操作される受話端末と、ＩＰネットワークに接続されたサーバと、送話端末が備える送話端末電話番号及び受話端末が備える受話端末電話番号を含んでおり、ＩＰネットワーク上には公開されない電話番号と、該電話番号に対応付けられており、ＩＰネットワーク上に公開される通話端末識別情報とを有しており、サーバに備えられたデータベースと、ＩＰネットワークを介してサーバにアクセス可能で、通話端末識別情報を表示、選択可能なディスプレイ及び操作キーを備えており、送信者により操作されるデータ端末と、回線通話網、及び、ＩＰネットワークを介してサーバにアクセス可能な回線制御網を備えており、送話端末及び受話端末が接続される公衆電話網と、でなる。
2004049682.tif 000002
【特許請求の範囲】
【請求項１】
送信者により操作される送話端末と、
受信者により操作される受話端末と、
ＩＰネットワークに接続されたサーバと、
前記送話端末が備える送話端末電話番号及び前記受話端末が備える受話端末電話番号を含んでおり、前記ＩＰネットワーク上には公開されない電話番号と、該電話番号に対応付けられており、前記ＩＰネットワーク上に公開される通話端末識別情報とを有しており、前記サーバに備えられたデータベースと、
前記ＩＰネットワークを介して前記サーバにアクセス可能で、前記通話端末識別情報を表示、選択可能なディスプレイ及び操作キーを備えており、前記送信者により操作されるデータ端末と、
回線通話網、及び、前記ＩＰネットワークを介して前記サーバにアクセス可能な回線制御網を備えており、前記送話端末及び前記受話端末が接続される公衆電話網と、で構成される通話接続システムであって、
前記データ端末は、前記送信者の操作により、前記サーバにアクセスして前記データベースの前記通話端末識別情報を閲覧し、その中から一つが前記送信者により選択されると、前記サーバへ、送話端末識別情報として前記送話端末に対応付けられた前記通話端末識別情報と、受話端末識別情報として前記選択された前記通話端末識別情報とを通知し、
前記サーバは、前記データ端末から、送話端末識別情報と前記受話端末識別情報とを通知されると、前記データベースから、これらの各識別情報に対応付けられた前記送話端末電話番号と前記受話端末電話番号とを摘出して、これらを相互に対応付け、
前記送話端末は、前記送信者の操作により前記回線制御網へ、前記送話端末電話番号と、前記サーバに対応付けられていると共に予め知らされているサーバ識別電話番号とを提供し、
前記回線制御網は、前記送話端末から、前記サーバ識別電話番号と前記送話端末電話番号とを提供されると、前記サーバへアクセスして前記送話端末電話番号と対応付けられた前記受話端末電話番号を照会し、
該照会に対して、前記サーバは、前記送話端末電話番号と対応付けた前記受話端末電話番号を前記回線制御網へ回答し、
前記回線制御網は、前記サーバから回答された前記受話端末電話番号を用いて、前記送話端末と前記受話端末とを前記回線通話網を介して接続してなることを特徴とする通話接続システム。
【請求項２】
前記ＩＰネットワークをインターネットとしてなる請求項１記載の通話接続システム。
【請求項３】
前記受話端末が、送話端末電話番号の通知を受けて表示する機能を備えており、前記回線制御網が前記受話端末に対して、前記接続の際に送話端末電話番号に代えて、前記サーバ識別電話番号を通知すると、前記受話端末がこの前記サーバ識別電話番号を表示してなる請求項１または２記載の通話接続システム。
【請求項４】
前記接続による通話が終了後、自動的にまたは前記受信者の操作により、前記受話端末が前記回線制御網へ前記サーバ識別電話番号及び前記受話端末電話番号を提供すると、
前記回線制御網は、前記サーバへアクセスして、前記受話端末電話番号を通知して前記通話の送話端末照会を行ない、
前記サーバは、通知された前記受話端末電話番号と対応付けられている前記送話端末電話番号を基に、前記データベースから前記送話端末電話番号に対応付けられている前記送話端末識別情報を摘出して前記回線制御網に回答し、
前記回線制御網はこの回答された前記送話端末識別情報を音声に変換して、前記回線通話網を介して前記受話端末へ提供してなる請求項３記載の通話接続システム。
【請求項５】
前記データ端末を、パソコン、または、ＰＤＡとしてなる請求項１から４のいずれか１項に記載の通話接続システム。
【請求項６】
前記送話端末を、有線式電話機、携帯電話機、または、ＩＰ電話機としてなる請求項１から５のいずれか１項に記載の通話接続システム。
【請求項７】
前記データ端末を前記送話端末に合体して１台の端末としてなる請求項１から６のいずれか１項に記載の通話接続システム。
【請求項８】
前記サーバへの前記送話端末識別情報及び前記受話端末識別情報の通知と、前記回線制御網への前記送話端末電話番号及び前記サーバ識別電話番号の提供とを、ともに前記通話端末識別情報の中から一つが選択される１つの操作で行なってなる請求項７記載の通話接続システム。
【請求項９】
前記送話端末を、ブラウザフォンでなる、有線式電話機、携帯電話機、または、ＩＰ電話機としてなる請求項７または８記載の通話接続システム。
【請求項１０】
前記ＩＰネットワークを介して前記サーバにアクセス可能で、前記通話端末識別情報を表示、選択可能なディスプレイ及び操作キーを備えており、前記受信者により操作されるデータ端末を、前記受話端末に合体して１台の端末とし、
前記回線制御網が、前記接続による通話の終了を前記サーバへ通知すると、
前記サーバが、前記データベースから前記送話端末電話番号に対応付けられた前記送話端末識別情報を摘出して、前記受話端末へ電子メールで提供し、前記受話端末がこれを受けて記憶すると共に表示してなる請求項７から９のいずれか１項に記載の通話接続システム。
【請求項１１】
前記受話端末が、前記送話端末識別情報を前記選択された前記通話端末識別情報の代わりとして用いて、前記送話端末へのコールバック通話を可能としてなる請求項１０記載の通話接続システム。
【請求項１２】
前記受話端末が、前記サーバと通信して、その通信内容を前記受話端末のディスプレイに表示しており、
前記サーバが、前記送話端末識別情報及び前記受話端末識別情報を受けるとともに、これらの各識別情報を基に、前記データベースから前記送話端末識別情報に対応付けられている前記送話端末電話番号と、前記受話端末識別情報に対応付けられている前記受話端末電話番号とを摘出して相互に対応付けた時点で、前記サーバが前記送話端末識別情報を、前記受話端末電話番号に基づき前記受話端末へ提供し、前記受話端末がこれを受けて表示してなる請求項１０または１１記載の通話接続システム。
【請求項１３】
前記受話端末を、ブラウザフォンでなる、有線式電話機、携帯電話機、または、ＩＰ電話機としてなる請求項１０から１２のいずれか１項に記載の通話接続システム。
【請求項１４】
前記サーバは、前記データ端末の前記サーバへのアクセス時刻を認識して記憶する時刻認識手段を有すると共に、前記サーバのデータベースの受話端末電話番号に、該受話端末電話番号を有する受話端末の受信許可時間帯情報が付加されており、前記データ端末から、前記送話端末識別情報と前記受話端末識別情報とを通知されると、前記データベースから、これらの各識別情報に対応付けられた前記送話端末電話番号と前記受話端末電話番号及び該受話端末電話番号に付加された前記受信許可時間帯情報を摘出すると共に、前記アクセス時刻が前記受信許可時間帯情報の有する受信許可時間帯内であると判断した場合は、前記回線制御網からの前記照会に対して、前記受話端末電話番号を回答し、受信許可時間帯内でないと判断した場合は、前記受話端末電話番号に代えて、接続拒否情報を回答し、前記回線制御網は、前記サーバから接続拒否情報を回答されると、前記送話端末と前記受話端末とを接続しないでなる請求項１から１３のいずれか１項に記載の通話接続システム。
【発明の詳細な説明】
【技術分野】  この発明は、通話接続システムに関し、詳しくはデータ伝送用のＩＰネットワークと通話用の公衆電話網の双方を使用する通話接続システムに関するものである。
【背景技術】  音声による双方向の通信手段として、電話は広く普及しており、最近では、無線を用いた携帯電話が、いつでもどこでも利用できる通信手段として、広く普及している。一方で、インターネットが広く普及しており、このインターネットは世界中に張り巡らされているので、インターネットに接続しさえすれば、場所と時間を選ばず、さまざまな情報を得ることができる。このインターネットは、従来、パソコンを端末として用いて利用されていたが、最近では、携帯電話からも利用できるシステムが確立され、急速に普及している。
しかし、インターネットを利用したシステムは、一般的には、予め用意されて公開されている情報にアクセスしてこれを入手する方式であり、インターネットの利用者が、入手しようとする情報、或は、既に入手した情報に関連する情報をさらに入手しようとしても、その情報が、必ずしも予め用意されて公開されている情報の中にあるとは限らない。即ち、インターネットの利用者の問いかけに対する的確な応答を得るのが、困難な場合も多い。
これに対して、電話は、当事者同士が直接、リアルタイムで会話を行なうものであるから、問いかけに対してすぐにその応答を得ることができる点で優れており、そのため、問いかけに対して相手方からの的確な応答を得るシステムとしては、電話を用いたシステムが優れている。
しかし、電話を用いる場合、電話をかける方は、相手方の電話番号を知る必要があり、このため、この電話を用いたシステムを構築しようとすると、相手先の電話番号を広く公開する必要がある。しかし、電話番号を広く公開すると相手先のプライバシーの侵害等に結びつく危険もある。そのため、相手先の電話番号を秘匿した通話接続システムとして、特願２００２−１２２４１７明細書に記載されたシステムや、特許文献１に記載されたシステムが提案されている。
（特許文献１）特開２００１−２６８２３０号公報
しかし、特願２００２−１２２４１７明細書に記載されたシステムは、送話端末として使用するパソコンにマイクとスピーカとを備えなければならず、いつでもどこでも利用できるシステムとは言い難い。また、特許文献１に記載されたシステムは、送話端末として電話機を用いているが、送話端末の電話機から、電話番号に代わるものとして、相手を表す秘匿ＩＤを回線制御網に送信する必要があり、一般的な電話のシステムとは異なるシステムである。
そこでこの発明は、通話用端末として電話機を用いるとともに、送話端末の電話機が回線制御網に提供する情報としては、電話番号のみを用い、送話端末の電話機から相手を表す秘匿ＩＤ等を提供する必要がなく、且つ、送信者、受信者双方の電話番号を秘匿できる通話接続システムを提供しようとするものである。
【発明の開示】
本発明の通話接続システムは、送信者により操作される送話端末と、受信者により操作される受話端末と、ＩＰネットワークに接続されたサーバと、前記送話端末が備える送話端末電話番号及び前記受話端末が備える受話端末電話番号を含んでおり、前記ＩＰネットワーク上には公開されない電話番号と、該電話番号に対応付けられており、前記ＩＰネットワーク上に公開される通話端末識別情報とを有しており、前記サーバに備えられたデータベースと、前記ＩＰネットワークを介して前記サーバにアクセス可能で、前記通話端末識別情報を表示、選択可能なディスプレイ及び操作キーを備えており、前記送信者により操作されるデータ端末と、回線通話網、及び、前記ＩＰネットワークを介して前記サーバにアクセス可能な回線制御網を備えており、前記送話端末及び前記受話端末が接続される公衆電話網と、で構成される通話接続システムである。ここで、前記サーバが前記ＩＰネットワーク上に公開しているのは、上述の通り、前記通話端末識別情報のみであり、前記電話番号は公開していない。
前記データ端末は、前記送信者の操作により、前記サーバにアクセスして前記データベースの前記通話端末識別情報を閲覧し、その中から一つが前記送信者により選択されると、前記サーバへ、送話端末識別情報として前記送話端末に対応付けられた前記通話端末識別情報と、受話端末識別情報として前記選択された前記通話端末識別情報とを通知し、前記サーバは、前記データ端末から、送話端末識別情報と前記受話端末識別情報とを通知されると、前記データベースから、これらの各識別情報に対応付けられた前記送話端末電話番号と前記受話端末電話番号とを摘出して、これらを相互に対応付ける。
また、前記送話端末は、前記送信者の操作により前記回線制御網へ、前記送話端末電話番号と、前記サーバに対応付けられていると共に予め知らされているサーバ識別電話番号とを提供し、前記回線制御網は、前記送話端末から、前記サーバ識別電話番号と前記送話端末電話番号とを提供されると、前記サーバへアクセスして前記送話端末電話番号と対応付けられた前記受話端末電話番号を照会する。
この照会に対して、前記サーバは、前記送話端末電話番号と対応付けた前記受話端末電話番号を前記回線制御網へ回答すると、前記回線制御網は、前記サーバから回答された前記受話端末電話番号を用いて、前記送話端末と前記受話端末とを前記回線通話網を介して接続してなることを特徴としている。
上記の通話接続システムにおいて、ＩＰネットワークとは、インタネットプロトコル（ＩＰ）を用いた通信ネットワークをいい、インターネットがその代表であり、上記の通話接続システムに、前記ＩＰネットワークとしてインターネットを用いるようにしてもよい。また、公衆電話網とは、ここでは、公衆に開放された、不特定多数のユーザに通話サービスを提供する電気通信網を言い、ＮＴＴが運用している有線式電話機を用いた公衆電話交換網や、ＮＴＴＤｏＣｏＭｏ等が運用している無線式の携帯電話機を用いた携帯電話網、或いは、ＩＰ電話機を用いるＩＰ電話網等を含む広い概念である。
また、上記の通話接続システムにおいて、前記受話端末が、送話端末電話番号の通知を受けて表示する機能を備えており、前記回線制御網が前記受話端末に対して、前記接続の際に送話端末電話番号に代えて、前記サーバ識別電話番号を通知すると、前記受話端末がこの前記サーバ識別電話番号を表示するようにしてもよい。
また、上記の通話接続システムにおいて、前記接続による通話が終了後、自動的にまたは前記受信者の操作により、前記受話端末が前記回線制御網へ前記サーバ識別電話番号及び前記受話端末電話番号を提供すると、前記回線制御網は、前記サーバへアクセスして、前記受話端末電話番号を提供して前記通話の送話端末照会を行ない、前記サーバは、通知された前記受話端末電話番号と対応付けられている前記送話端末電話番号を基に、前記データベースから前記送話端末電話番号に対応付けられている前記送話端末識別情報を摘出して前記回線制御網に回答し、前記回線制御網はこの回答された前記送話端末識別情報を音声に変換して、前記回線通話網を介して前記受話端末へ提供するようにしてもよい。
また、上記の通話接続システムにおいて、前記データ端末を、パソコン、または、ＰＤＡ（パーソナル  ディジタル  アシスタント）とするようにしてもよい。また、前記送話端末を、有線式電話機、携帯電話機、または、ＩＰ電話機とするようにしてもよい。
また、上記の通話接続システムにおいて、前記データ端末を前記送話端末に合体して１台の端末とするようにしてもよい。この場合、前記サーバへの前記送話端末識別情報及び前記受話端末識別情報の通知と、前記回線制御網への前記送話端末電話番号及び前記サーバ識別電話番号の提供とを、ともに前記通話端末識別情報の中から一つが選択される１つの操作で行なうようにするのが合理的である。
また、前記送話端末を、ブラウザフォンでなる、有線式電話機、携帯電話機、または、ＩＰ電話機とするようにしてもよい。ここで、ブラウザフォンとは、ブラウザを搭載しており、インターネット等のＩＰネットワークに接続されたＷｅｂページにアクセス可能な機能を備えた電話機をいう。
また、上記の通話接続システムにおいて、前記ＩＰネットワークを介して前記サーバにアクセス可能で、前記通話端末識別情報を表示、選択可能なディスプレイ及び操作キーを備えており、前記受信者により操作されるデータ端末を、前記受話端末に合体して１台の端末とし、前記回線制御網が、前記接続による通話の終了を前記サーバへ通知すると、前記サーバが、前記データベースから前記送話端末電話番号に対応付けられた前記送話端末識別情報を摘出して、前記受話端末へ電子メールで提供し、前記受話端末がこれを受けて記憶すると共に表示するようにしてもよい。
また、上記の通話接続システムにおいて、前記受話端末が、前記送話端末識別情報を前記選択された前記通話端末識別情報の代わりとして用いて、前記送話端末へのコールバック通話を可能とするようにしてもよい。
また、上記の通話接続システムにおいて、前記受話端末が、前記サーバが、前記送話端末識別情報及び前記受話端末識別情報を受けるとともに、これらの各識別情報を基に、前記データベースから前記送話端末識別情報に対応付けられている前記送話端末電話番号と、前記受話端末識別情報に対応付けられている前記受話端末電話番号とを摘出して相互に対応付けた時点で、前記サーバが前記送話端末識別情報を、前記受話端末電話番号に基づき前記受話端末へ提供し、前記受話端末がこれを受けて表示するようにしてもよい。
また、上記の通話接続システムにおいて、前記受話端末を、ブラウザフォンでなる、有線式電話機、携帯電話機、または、ＩＰ電話機とするようにしてもよい。
また、上記の通話接続システムにおいて、前記サーバは、前記データ端末の前記サーバへのアクセス時刻を認識して記憶する時刻認識手段を有すると共に、前記サーバのデータベースの受話端末電話番号に、該受話端末電話番号を有する受話端末の受信許可時間帯情報が付加されており、前記データ端末から、前記送話端末識別情報と前記受話端末識別情報とを通知されると、前記データベースから、これらの各識別情報に対応付けられた前記送話端末電話番号と前記受話端末電話番号及び該受話端末電話番号に付加された前記受信許可時間帯情報を摘出すると共に、前記アクセス時刻が前記受信許可時間帯情報の有する受信許可時間帯内であると判断した場合は、前記回線制御網からの前記照会に対して、前記受話端末電話番号を回答し、前記受信許可時間帯内でないと判断した場合は、前記受話端末電話番号に代えて、接続拒否情報を回答し、前記回線制御網は、前記サーバから接続拒否情報を回答されると、前記送話端末と前記受話端末とを接続しないようにしてもよい。
【図面の簡単な説明】  第１図は、第１実施例の通話接続システムの構成を示したブロック図である。
第２図は、第１実施例のサーバの備えるデータベースの例を示した図である。
第３図は、第１実施例の通話接続システムの動作説明図である。
第４図は、第１実施例のパソコンのディスプレイの表示の例を示した図である。
第５図は、第２実施例の通話接続システムの構成を示したブロック図である。
第６図は、第２実施例の通話接続システムの動作説明図である。
第７図は、第２実施例の送信側携帯電話機のディスプレイの表示の例を示した図である。
【発明を実施するための最良の形態】  次に、本発明の第１実施例につき、図面に基づき詳しく説明する。第１図は、第１実施例の通話接続システムの構成を示したブロック図である。第１図において、第１実施例の通話接続システムには、携帯電話網７とインターネット８とが存在し、携帯電話網７は回線制御網７ａと回線通話網７ｂとで構成されている。そして、携帯電話網７の機能の一部を分担する送信側基地局５を介して送信側携帯電話機３が、また、同じく携帯電話網７の機能の一部を構成する受信側基地局６を介して受信側携帯電話機４が接続されている。ここで、送信側携帯電話機３及び受信側携帯電話機４は、通話機能のみを備える携帯電話機である。また、回線制御網７ａは回線通話網７ｂと相互に接続されており、この回線制御網７ａはインターネット８とも接続されている。また、サーバ１とパソコン２とがインターネット８に接続されている。
送信側携帯電話機３及び受信側携帯電話機４は、上述したように、携帯電話網７を構成する回線制御網７ａと回線通話網７ｂとを用いて行なう無線を用いた通話機能を有している。また、送信側携帯電話機３及び受信側携帯電話機４は、電話がかかってきた際に、送信者の電話番号が通知されると、それを表示する機能を有している。
また、パソコン２は、ブラウザ等のソフトウエアを備えており、インターネット８に接続されたサーバ１の備えるＷｅｂページにアクセスして、サーバ１との間で、パケット化された各種情報の送受信をすることができ、これらのパケット化された各種情報を表示できるディスプレイ２ａと、これらの各種情報の送受信の操作を行なうための操作用のボード２ｂとを備えている。
第１実施例では、サーバ１を運営する機関が、会員制で第１実施例のシステムの利用を認めており、サーバ１には、会員が使用する携帯電話機の電話番号と、この電話番号に対応付けられた通話端末識別情報、例えば、その電話番号の携帯電話機の持主の名前や会社名、機関名、或いは、その電話番号の電話機で提供する情報の名称や種類等を登録する。第１実施例では会員である送信者Ａが同じく会員である受信者Ｂに通話を行なう場合について説明する。従って、送信者Ａが使用する携帯電話機が送信側携帯電話機３となり、受信者Ｂが使用する携帯電話機が受信側携帯電話機４となる。また、パソコン２は送信者Ａによって使用される。
そこで、第１実施例では、予め、送信者Ａが使用する送信側携帯電話機３の電話番号ＮＡ（送話端末電話番号）と、この電話番号に対応する通話端末識別情報として持主の名前「Ａ」（送話端末識別情報）及び、受信者Ｂが使用する受信側携帯電話機４の電話番号ＮＢ（受話端末電話番号）と、この電話番号に対応する通話端末識別情報である持主の名前「Ｂ」（受話端末識別情報）が、他の会員のこれらの情報と共に、サーバ１のデータベース１ａに登録されている。第２図は、上記のデータを含むデータベース１ａのデータの例を示したものであり、ＮＡ、ＮＢ、ＮＣ、・・・は電話番号を表しており、Ａ、Ｂ、Ｃ、・・・は上記電話番号ＮＡ、ＮＢ、ＮＣ、・・・に対応する通話端末識別情報である。これらの情報の内、サーバ１がＷｅｂページで公開しているのは、通話端末識別情報であるＡ、Ｂ、Ｃ、・・・のみであり、電話番号であるＮＡ、ＮＢ、ＮＣ、・・・は公開されていない。送信者Ａは、パソコン２を操作してサーバ１にアクセスすることにより、これらの通話端末識別情報を閲覧することができる。また、パソコン２には、送信者Ａの使用する送信側携帯電話機３の電話番号ＮＡに対応する通話端末識別情報である送話端末識別情報Ａが、設定されている。
また、送信側携帯電話機３には送話端末電話番号ＮＡが設定されており、受信側携帯電話機４には受話端末電話番号ＮＢが設定されている。また、サーバ１に対応するサーバ識別電話番号をＮＳとしている。このサーバ識別電話番号ＮＳは、回線制御網７ａがサーバ１を識別するためのものであり、サーバ１へ直接電話をするためのものではない。第１実施例ではサーバは、サーバ１の１台しか用いていないが、システムとしては複数のサーバを用いることが可能であり、複数のサーバを用いる場合は、それぞれ異なるサーバ識別電話番号が用いられる。
次に、上述した構成でなる第１実施例の通話接続システムの動作について、第１図〜第４図を参照しながら説明する。第３図は第１実施例の通話接続システムの動作説明図であり、第４図は、パソコン２のディスプレイ２ａに表示される表示の例を示したものである。
送信者Ａが第１実施例のシステムを用いて通話を行なうには、まず、送信者Ａがパソコン２に備えられた操作用のキーボード２ｂを操作することにより、パソコン２がサーバ１にアクセスする（Ｓ１）。すると、サーバ１は、会員か否かのチェックを行なうために、第４図（ａ）に示す情報を提供するので、パソコン２はこれをディスプレイ３ａに表示する。そこで、送信者Ａが会員番号とパスワードとをパソコン２に入力してサーバ１に提供すると、サーバ１がこれをチェックして、正しければデータベース１ａの通話端末識別情報をパソコン２に提供するので、パソコン２はこれを閲覧のためディスプレイ２ａに、第４図（ｂ）に示すように表示する（Ｓ２）。
そこで、送信者Ａがこの表示を見て、通話端末識別情報としてＢを選択するため通話端末識別情報Ｂの横に配置されている通話ボタンを押すと、第４図（ｃ）に示す表示となり、ここで送信者ＡがＹＥＳを選択すると（Ｓ３）、パソコン２は送話端末識別情報Ａと受話端末識別情報Ｂを、サーバ１へ提供して通知する（Ｓ４）。すると、サーバ１は、この送話端末識別情報Ａと受話端末識別情報Ｂを基に、データベース１ａから送話端末電話番号ＮＡと受話端末電話番号ＮＢとを摘出すると共に、これらを相互に対応付ける（Ｓ５）。また、送信者Ａは、パソコン２による操作を行なった後、送信側携帯電話機３から、サーバ識別電話番号ＮＳを用いて電話をかける。即ち、送信側携帯電話機３が、サーバ識別電話番号ＮＳと送話端末電話番号ＮＡを回線制御網７ａへ提供するので（Ｓ６）、回線制御網７ａはサーバ識別電話番号ＮＳを受信したことを検知すると（Ｓ７）、送話端末電話番号ＮＡを伴って、サーバ１に対して、受話端末電話番号を照会する（Ｓ８）。すると、サーバ１は、送話端末電話番号ＮＡと対応付けられている受話端末電話番号ＮＢを、回線制御網７ａに提供して回答するので（Ｓ９）、回線制御網７ａはこの受話端末電話番号ＮＢを用いて、回線通話網７ｂを介して送信側携帯電話機３と受信側携帯電話機４とを接続する（Ｓ１０）。
回線制御網７ａは、送信側携帯電話機３と受信側携帯電話機４とを接続すると同時に、送話端末電話番号の通知サービスとして、送話端末電話番号に代えてサーバ識別電話番号ＮＳを受信側携帯電話機４に通知するので、受信側携帯電話機４はこれを表示する。そこで、受信者Ｂには、この番号がサーバ１の識別用の電話番号であることがわかり、通話の相手が、サーバ１を運用する機関の会員であることがわかる。
また、上記の接続による通話が終了後、受信者Ｂが受信側携帯電話機４からサーバ識別電話番号ＮＳを用いて電話をかけると、受信側携帯電話機４が回線制御網７ａへサーバ識別電話番号ＮＳ及び受話端末電話番号ＮＢを提供し、回線制御網７ａは、前記サーバ１へアクセスして、受話端末電話番号ＮＢを提供して終了した通話の送話端末照会を行なうと、前記サーバ１は、提供された受話端末電話番号ＮＢと対応付けられている送話端末電話番号ＮＡを基に、前記データベース１ａから送話端末識別情報Ａを摘出して回線制御網７ａに提供して回答し、回線制御網７ａはこの提供された送話端末識別情報Ａを音声に変換して、回線通話網７ｂを介して受信側携帯電話機４へ提供する。この送話端末識別情報Ａを音声に変換する装置（図示されていない）は、回線制御網７ａが備えており、コードで表された文字データを音声に変換する装置を用いている。そこで、受信者Ｂは、終了した先の通話が送信者Ａからかかってきたものであることがわかるが、送信者Ａの送話端末電話番号ＮＡは通知されないので、受信者Ｂにはわからない仕組になっている。
上記の場合に、通話が終了後、送話端末電話番号として連絡された電話番号がサーバ識別電話番号ＮＳであることを受信側携帯電話機４が認識することにより、受信側携帯電話機４が自動的にサーバ識別電話番号ＮＳを用いて電話をかけるようにしてもよい。
また、サーバ１が、パソコン２から送話端末識別情報Ａと受話端末識別情報Ｂを提供された時点の時刻を記録しておき、回線制御網７ａから通話の送話端末照会を受けた際に、この時刻を回線制御網７ａへ提供することにより、回線制御網７ａがこの時刻を送話端末識別情報Ａとともに、受信側携帯電話機４に音声で、例えば、「先程の通話は、ＸＸ時ＸＸ分にＡ様が通話依頼された電話です。」というように、提供するようにしてもよい。
上記の第１実施例によれば、サーバ１は通話端末識別情報のみ公開しており、電話番号は公開していないので、受信者Ｂの電話番号は送信者Ａに知られることはなく、また、通話接続の際、或いは通話終了後も、送信者Ａの電話番号は受信者Ｂの受信側携帯電話機４に通知されることはないので、送話端末電話番号及び受話端末電話番号双方の電話番号を秘匿することができる。
また、通話の際には、回線制御網７ａに対しては、電話番号である送話端末電話番号ＮＡとサーバ識別電話番号ＮＳを提供すればよく、電話番号に代わるものとして相手を表す秘匿ＩＤ等の提供が不要なシステムを実現できる。
上記の第１実施例の情報照会通話システムでは、時刻を問わず、パソコン２からサーバ１へアクセスすることにより、送信者Ａは受信者を選択することにより、送信側携帯電話機３から受信側携帯電話機へ通話をすることができるが、受信側携帯電話機の受信可能な受信時間帯を個別に制限するようにすることもできる。この場合のシステムとしては、サーバ１は、パソコン２のサーバ１へのアクセス時刻を認識して記憶する時刻認識手段を有している。時刻認識手段としては、一般にコンピュータの基本機能としてサーバに内蔵されているメモリー機能やＣＰＵ機能、そして、カレンダー及び時計の機能を用いる。そこで、例えば、受信者Ｂの携帯電話機４の受信時間帯として１８：００〜２１：００のみ許可する場合には、サーバ１が有するデータベース１ａの受信者Ｂの携帯電話機４の電話番号ＮＢに、受信許可時間帯情報として、「１８：００〜２１：００」が付加される。この場合に、送信者Ａが１７：００に上記と同様にしてサーバ１にアクセスした場合を考えると、上記と同様、サーバ１は、回線制御網７ａから送話端末識別情報Ａと受話端末識別情報Ｂとを通知されるが、この際、データベース１ａから、各識別情報に対応付けられた送話端末電話番号ＮＡと受話端末電話番号ＮＢ及びこの受話端末電話番号ＮＢに付加された受信許可時間帯情報を摘出すると共に、サーバ１へのアクセス時刻が受信許可時間帯情報の有する受信許可時間帯内にあるか否かをチェックする。この場合、アクセス時刻は１７：００であり、受信許可時間帯は１８：００〜２１：００であるので、サーバ１はアクセス時刻が受信許可時間帯内にはないと判断して、回線制御網７ａからの照会に対して、受話端末電話番号ＮＢに代えて、接続拒否情報を回答する。すると、回線制御網７ａは、送信側携帯電話機と受信側携帯電話機との接続を行なわない。もし、パソコン２からサーバ１へのアクセス時刻が１９：００であれば、サーバ１はアクセス時刻が受信許可時間帯内にあると判断して、回線制御網７ａからの照会に対して、受話端末電話番号ＮＢを回答する。
上記のシステムによれば、受信者は受信許可時間帯だけ受信可能な体制としておけばよく、受信者に便宜なシステムを構成することができる。
また、サーバが、受信許可時間帯情報をこの受信許可時間帯情報を付加した電話番号と対応付けられている通話端末識別情報と共にインターネット上に公開するようにすれば、送信者がサーバにアクセスした段階で、受信許可時間帯がわかり、通話の可否を判断することができるので、送信者に便宜なシステムとすることができる。
上記の例では、受信許可時間帯情報としては時刻に関するもののみであるが、曜日や月日を加えたものとしてもよい。また、上記の第１実施例では、通話端末識別情報と会員が使用する携帯電話機の電話番号とは、１対１で対応付けられているが、例えば、通話端末識別情報にサフイックスを付して同一会員の通話端末識別情報を複数設け、これらに複数の電話番号を対応付ける等することにより、同一会員が受信側携帯電話機として複数の携帯電話機を利用できるようにすることもできる。また、この場合に、各携帯電話機の受信許可時間帯を異なるものに設定することにより、受信用の携帯電話機を時間帯によって切り替えて使用することも可能である。
上記の第１実施例では、インターネットに接続されたサーバ１へのアクセスにパソコンを用いているが、ＰＤＡ等の携帯端末を用いるようにしてもよい。また、公衆電話網として、携帯電話機を用いる携帯電話網を用いているが、有線式の有線式電話機を用いる公衆電話交換網や、ＩＰ電話機を用いるＩＰ電話網等を用いることができ、これらの公衆電話網の種類に合わせて、電話機として、有線式電話機、或いは、ＩＰ電話機等を用いるようにする。
上記の第１実施例では、サーバ１へのアクセス機能と通話機能とは別の装置を用いて実現しているが、次に、これらの機能を一台の端末装置を用いて実現する第２実施例について説明する。
第５図は、第２実施例の通話接続システムの構成を示したブロック図である。第５図において、第２実施例の通話接続システムには、携帯電話網１６と、ゲートウエイ１８を介して、インターネット１９に接続された携帯電話用パケット通信網１７とが存在し、携帯電話網１６は回線制御網１６ａと回線通話網１６ｂとで構成されている。そして、携帯電話網１６と携帯電話用パケット通信網１７の各機能の一部を分担する送信側基地局５を介して送信側携帯電話機１２が、また、同じく携帯電話網１６と携帯電話用パケット通信網１７の各機能の一部を構成する受信側基地局６を介して受信側携帯電話機１３が接続されている。また、回線制御網１６ａは回線通話網１６ｂと相互に接続されており、この回線制御網１６ａは携帯電話用パケット通信網１７とも相互に接続されている。また、サーバ１１はインターネット１９に接続されている。
送信側携帯電話機１２及び受信側携帯電話機１３は、ブラウザ等のソフトウエアを搭載しているブラウザフォンである。従って、まず、携帯電話網１６を構成する回線制御網１６ａと回線通話網１６ｂとを用いて行なう無線を用いた通常の通話機能を有している。また、送信側携帯電話機１２及び受信側携帯電話機１３は、電話がかかってきた際に、送信者の電話番号が通知されると、それを表示する機能を有している。そのほか、ブラウザフォンとして、例えば、ＮＴＴＤｏＣｏＭｏが提供しているｉモードサービスのように、パケット通信網１７を用いて、インターネット１９に接続されたサーバ１１の備えるＷｅｂページにアクセスして、サーバ１１との間で、パケット化された各種情報を送受信することができる。送信側携帯電話機１２及び受信側携帯電話機１３には、これらのパケット化された各種情報を表示できるディスプレイ１２ａ、１３ａと、パケット化した各種情報の送受信や通話の操作を行なうための操作用のキー１２ｂ、１３ｂとを備えている。また、送信側携帯電話機１２及び受信側携帯電話機１３は、サーバ１１から提供される電子メールを受信する機能を有している。
また、回線制御網１６ａもパケット通信網１７を介してインターネット１９に接続されたサーバ１１にアクセスすることができる。
第２実施例でも、サーバ１１を運営する機関が、会員制で第２実施例のシステムの利用を認めており、サーバ１１には、会員が使用する携帯電話機の電話番号と、この電話番号に対応付けられた通話端末識別情報、例えば、その電話番号の携帯電話機の持主の名前や会社名、機関名、或いは、その電話番号の電話機で提供する情報の名称や種類等を登録する。第２実施例でも、第１実施例と同様、会員である送信者Ａが同じく会員である送信者Ｂに通話を行なう場合について説明する。従って、送信者Ａが使用する携帯電話機が送信側携帯電話機１２となり、受信者Ｂが使用する携帯電話機が受信側携帯電話機１３となる。
そこで、第２実施例においても、予め、送信者Ａが使用する送信側携帯電話機１２の電話番号ＮＡ（送話端末電話番号）と、この電話番号に対応する通話端末識別情報として持主の名前「Ａ」（送話端末識別情報）及び、送信者Ｂが使用する受信側携帯電話機１３の電話番号ＮＢ（受話端末電話番号）と、この電話番号に対応する通話端末識別情報である持主の名前「Ｂ」（受話端末識別情報）が、サーバ１１のデータベース１１ａに登録されている。従って、サーバ１１のデータベース１１ａの例としては、第１実施例の第２図と全く同様である。また、これらの情報の内、サーバ１１がＷｅｂページで公開しているのは、第１実施例と同様、通話端末識別情報であるＡ、Ｂ、Ｃ、・・・のみであり、電話番号であるＮＡ、ＮＢ、ＮＣ、・・・は公開されていない。送信者Ａは、送信側携帯電話機１２を操作してサーバ１にアクセスすることにより、これらの通話端末識別情報を送信側携帯電話機１２で閲覧することができる。
また、送信側携帯電話機１２には、送話端末電話番号ＮＡ及び、送話端末識別情報Ａが設定されており、受信側携帯電話機１３には、受話端末電話番号ＮＢ及び、受話端末識別情報Ｂが設定されている。また、サーバ１１に対応するサーバ識別電話番号をＮＳとしており、会員である送信者Ａ及び送信者Ｂの送信側携帯電話機１２及び受信側携帯電話機１３には、共にこのサーバ識別電話番号ＮＳが設定されている。このサーバ識別電話番号ＮＳは上述したと同様に、回線制御網１６ａがサーバ１１を識別するためのものであり、複数のサーバが用いられる場合は、それぞれ異なるサーバ識別電話番号が用いられる。
次に、上述した構成でなる第２実施例の通話接続システムの動作について、第２図及び第５図〜第７図を参照しながら説明する。第６図は第２実施例の通話接続システムの動作説明図であり、第７図は、送信側携帯電話機１２のディスプレイ１２ａに表示される表示の例を示したものである。
送信者Ａが第２実施例のシステムを用いて通話を行なうには、まず、送信者Ａが送信側携帯電話機１２に備えられた操作用のキー１２ｂを操作することにより、送信側携帯電話機１２がサーバ１１にアクセスする（Ｓ１１）。すると、サーバ１１は、会員か否かのチェックを行なうために、第７図（ａ）に示す情報を提供するので、送信側携帯電話機１２はこれをディスプレイ１２ａに表示する。そこで、送信者Ａが会員番号とパスワードとを送信側携帯電話機１２に入力してサーバ１１に提供すると、サーバ１１がこれをチェックして、正しければ、データベース１１ａの通話端末識別情報を送信側携帯電話機１２に提供するので、送信側携帯電話機１２は、これを閲覧のためディスプレイ１２ａに、第７図（ｂ）に示すように表示する（Ｓ１２）。
そこで、送信者Ａがこの表示を見て、通話端末識別情報としてＢを選択すると、第７図（ｃ）に示す表示となり、ここで送信者ＡがＹＥＳを選択すると（Ｓ１３）、送信側携帯電話機１２は送話端末識別情報Ａと受話端末識別情報Ｂを、サーバ１１へ提供して通知する（Ｓ１４）。すると、サーバ１１は、この送話端末識別情報Ａと受話端末識別情報Ｂを基に、データベース１１ａから送話端末電話番号ＮＡと受話端末電話番号ＮＢとを摘出すると共に、これらを相互に対応付ける（Ｓ１５）。また、送信側携帯電話機１２は、送話端末識別情報Ａと受話端末識別情報Ｂを、サーバ１１へ提供して通知した後、サーバ識別電話番号ＮＳと送話端末電話番号ＮＡを回線制御網１６ａへ提供するので（Ｓ１６）、回線制御網１６ａはサーバ識別電話番号ＮＳを受信したことを検知すると（Ｓ１７）、送話端末電話番号ＮＡを伴って、サーバ１１に対して、受話端末電話番号を照会する（Ｓ１８）。すると、サーバ１１は、送話端末電話番号ＮＡと対応付けられている受話端末電話番号ＮＢを、回線制御網１６ａに提供して回答するので（Ｓ１９）、回線制御網１６ａはこの受話端末電話番号ＮＢを用いて、回線通話網１６ｂを介して送信側携帯電話機１２と受信側携帯電話機１３とを接続する（Ｓ２０）。
また、第１実施例と同様、回線制御網１６ａは、送信側携帯電話機１２と受信側携帯電話機１３とを接続すると同時に、送話端末電話番号の通知サービスとして、送話端末電話番号に代えてサーバ識別電話番号ＮＳを受信側携帯電話機１３に通知するので、受信側携帯電話機１３はこれを表示する。そこで、受信者Ｂには、この番号がサーバ１の識別用の電話番号であることがわかり、通話の相手が、サーバ１を運用する機関の会員であることがわかる。
また、第１実施例と同様、上記の接続による通話が終了後、受信者Ｂが受信側携帯電話機１３からサーバ識別電話番号ＮＳを用いて電話をかけると、受信側携帯電話機１３が回線制御網１６ａへサーバ識別電話番号ＮＳ及び受話端末電話番号ＮＢを提供し、回線制御網１６ａは、前記サーバ１１へアクセスして、受話端末電話番号ＮＢを提供して終了した通話の送話端末照会を行なうと、前記サーバ１１は、提供された受話端末電話番号ＮＢと対応付けられている送話端末電話番号ＮＡを基に、前記データベース１１ａから送話端末識別情報Ａを摘出して回線制御網１６ａに提供して回答し、回線制御網１６ａはこの提供された送話端末識別情報Ａを、第１実施例と同様にして音声に変換し、回線通話網１６ｂを介して受信側携帯電話機１３へ提供するので、受信者Ｂは、終了した先の通話が送信者Ａからかかってきたものであることがわかるが、送信者Ａの送話端末電話番号ＮＡは通知されないので、受信者Ｂにはわからない仕組になっている。
上記の場合に、第１実施例で述べたと同様に、通話が終了後、送話端末電話番号として連絡された電話番号がサーバ識別電話番号ＮＳであることを受信側携帯電話機１３が認識することにより、受信側携帯電話機１３が自動的にサーバ識別電話番号ＮＳを用いて電話をかけるようにしてもよい。
また、サーバ１１が、送信側携帯電話機１２から送話端末識別情報Ａと受話端末識別情報Ｂを提供された時点の時刻を記録しておき、回線制御網１６ａから通話の送話端末照会を受けた際に、この時刻を回線制御網１６ａへ提供することにより、回線制御網１６ａがこの時刻を送話端末識別情報Ａとともに、受信側携帯電話機１３に音声で、例えば、「先程の通話は、ＹＹ時ＹＹ分にＡ様が通話依頼された電話です。」というように、提供するようにしてもよい。
回線制御網１６ａが、上記の接続による通話の終了を前記サーバ１１へ通知すると、サーバ１１が、データベース１１ａから送話端末電話番号ＮＡに対応付けられた送話端末識別情報Ａを摘出して、受信側携帯電話機１３へ電子メールで提供し、受信側携帯電話機１３がこれを受けて記憶すると共に表示する。そこで、受信者Ｂには、この送話端末識別情報Ａから、終了した先の通話の相手は、Ａであることがわかる。この際に、上記の時刻を送話端末識別情報Ａとともに、電子メールで提供するようにしてもよい。
また、上記で説明した、送信者Ａが通話に際して選択した通話端末識別情報Ｂを、送信側携帯電話機１２が回線制御網１６ａへ提供するのと同様にして、受信側携帯電話機１３が、その記憶している送話端末識別情報Ａを、上記の通話端末識別情報Ｂの代わりとして用いて、回線制御網１６ａへ提供することにより、第２実施例のシステムの機能を用いて、送信側携帯電話機１２へコールバック通話をすることができる。
ところで、通常の電話では、送信者が事前に受信者に連絡しない限り、受信者は送信者から電話がかかってくることは事前にはわからないのが一般である。しかし、第２実施例のシステムでは、これを実現することも可能である。
即ち、ブラウザフォンである携帯電話を用いるシステムでは、ブラウザフォンが、サーバ１１により、例えば、携帯電話の待ち受け画面用の静止画や動画、或いはその他の情報等を、定期的、例えば３０秒毎に、或いは不定期的に、配信を受けるサービスを行なうことができる。そこで、受信側携帯電話機１３が、定期的或いは不定期的にサーバ１１と通信して、サーバ１１から取得した待ち受け画面用の静止画や動画、或いはその他の情報等を受信側携帯電話機１３のディスプレイ１３ａに表示するようにする。そして、この間に、前記サーバ１１が、送話端末識別情報Ａ及び受話端末識別情報Ｂを受けると、これらの各識別情報を基に、前記データベース１１ａから送話端末電話番号ＮＡ及び受話端末電話番号ＮＢを摘出して相互に対応付けた時点で、受話端末電話番号ＮＢに基づき、前記サーバ１１が、送話端末識別情報Ａを、上記の待ち受け画面用の静止画や動画、或いはその他の情報等に替えて、受信側携帯電話機１３へ提供し、受信側携帯電話機１３がこれを受けて表示することにより、受信側携帯電話機１３に、送信者Ａからの電話がかかる前に、送信者Ａからの電話があることを知らせることができる。
上記の第２実施例によれば、第１実施例と同様、サーバ１１は通話端末識別情報のみ公開しており、電話番号は公開していないので、受信者Ｂの電話番号は送信者Ａに知られることはなく、また、通話接続の際、或いは通話終了後も、送信者Ａの電話番号は受信者Ｂの受信側携帯電話機１３に通知されることはないので、送話端末電話番号及び受話端末電話番号双方の電話番号を秘匿することができる。
また、通話の際には、回線制御網１６ａに対しては、電話番号である送話端末電話番号ＮＡとサーバ識別電話番号ＮＳを提供すればよく、電話番号に代わるものとして相手を表す秘匿ＩＤ等の提供が不要なシステムを実現できる。
また、サーバ１１への送話端末識別情報Ａ及び受話端末識別情報Ｂの提供と、回線制御網１６ａへの送話端末電話番号ＮＡ及びサーバ識別電話番号ＮＳの提供とを、ともに通話端末識別情報の中から一つが選択される操作で同時に行なっているので、第１実施例のシステムと異なり、送信者Ａの通話のための操作を容易にすることができる。
また、受信側携帯電話機１３が、前記サーバ１１から送話端末識別情報Ａを電子メールで受けて記憶すると共に表示するので、受信者Ｂは、通話の相手を容易に知ることができる。また、この送話端末識別情報Ａを用いることにより、受信者Ｂは、送信者Ａに容易にコールバック通話をすることができる。
また、受信側携帯電話機１３が、定期的或いは不定期的にサーバ１１と通信することにより、受信側携帯電話機１３に、送信者Ａからの電話がかかる前に、送信者Ａからの電話があることを知らせることができる。
上記の第２実施例では、送信側携帯電話機１２や受信側携帯電話機１３として、ブラウザフォンでなる携帯電話を用いることで、公衆電話網として、携帯電話機を用いる携帯電話網を用いると共に、インターネットに接続されたサーバ１１へのアクセス用として携帯電話用パケット通信網１７を用いている。しかし、このほか、ブラウザフォンとしてＮＴＴが採用している有線式のＬモード電話機等を用いることで、公衆電話網として、公衆電話交換網を用いると共に、サーバ１１へのアクセス用として、ＩＳＤＮやＡＤＳＬ、ＦＴＴＨ等を介して接続する通常のパケット通信網等を用いることができ、或いは、ブラウザフォンとしてＩＰ電話機を用いることで、公衆電話交換網とサーバ１１へのアクセス用を兼ねて、ＩＰ電話網等を用いることができる。これらの通信網に合わせて、電話機として、有線式電話機、或いは、ＩＰ電話機等を用いるようにする。
また、上記の第２実施例では、受信側携帯電話機１３をブラウザフォンでなる携帯電話機としているが、通話機能のみしか備えない携帯電話機としてもよい。この場合は、上述したサーバ１１からの電子メールによる送話端末識別情報Ａの提供や、コールバック通話、或は、送信者Ａからの電話がかかる前に送信者Ａからの電話があることを通知する機能を利用することは出来ない。
また、第２実施例においても前述の第１実施例と同様にして、受信側携帯電話機の受信時間帯を制限するようにすることができる。
【産業上の利用可能性】  以上、上記に述べたように、本発明によれば、サーバは通話端末識別情報のみ公開しており、電話番号は公開していないので、受信者の電話番号は送信者に知られることはなく、また、通話接続の際、或いは通話終了後も、送信者の電話番号は受信者の受話端末に通知されることはないので、送話端末電話番号及び受話端末電話番号の双方の電話番号を秘匿した通話接続システムを実現することができる。また、通話の際には、送話端末は、回線制御網に対しては、電話番号である送話端末電話番号とサーバ識別電話番号を提供すればよく、電話番号に代わるものとして相手を表す秘匿ＩＤ等を提供する必要がない通話接続システムを実現することができる。また、回線制御網から受話端末にサーバ識別電話番号が通知されるので、受信者は、通話の相手がサーバの備えるデータベースに含まれる通話端末識別情報に対応する人であることがわかる。また、通話が終了後に、受信者が受話端末からサーバ識別電話番号を用いて電話をかけることにより、送話端末識別情報を取得することが出来る。また、サーバが有するデータベースに受信者の携帯電話機の受信許可時間帯情報を付加することで、受信者は受信を受信許可時間帯のみに制限することができ、受信許可時間帯だけ受信可能な体制としておけばよいので、受信者に便宜なシステムを構成することができる。
また、データ端末を送話端末に合体して１台の端末とすると共に、データ端末を受話端末に合体して１台の端末とすることにより、次のような効果を得ることができる。まず、サーバへの送話端末識別情報及び受話端末識別情報の通知と、回線制御網への送話端末電話番号及びサーバ識別電話番号の提供とを、ともに通話端末識別情報の中から一つが選択される操作で同時に行なうようにすることで、送信者の操作が容易な通話接続システムを実現することができる。また、前記サーバが、送話端末識別情報を受話端末へ電子メールで提供し、受話端末がこれを受けて記憶すると共に表示するので、受信者は通話の相手を容易に知ることができる。また、この送話端末識別情報を用いることにより、受信者は、送信者に容易にコールバック通話をすることができる。また、受話端末が、サーバと通信することにより、受話端末に送信者からの電話がかかる前に、送信者からの電話があることを知らせることができる。
【図１】
2004049682.tif 000003
【図２】
2004049682.tif 000004
【図３】
2004049682.tif 000005
【図４】
2004049682.tif 000006
【図５】
2004049682.tif 000007
【図６】
2004049682.tif 000008
【図７】
2004049682.tif 000009
【国際調査報告】
2004049682.tif 000010
2004049682.tif 000011
2004049682.tif 000012